【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
無線ネットワークであって、
複数のステーションを含み、
前記複数のステーションのうち、１つのステーションは、前記ネットワーク内の残りのステーションに対して許可することを表す許可指示を送信する制御ステーションであり、
前記残りのステーションは、活動状態と、前記残りのステーションがメッセージを送受信することのない非活動状態とをそれぞれ有し、
前記残りのステーションはさらに、完全に活動状態である第１の電力モードと、所定のタイミングにのみ活動状態に入る第２の電力モードであって、指定された条件下では活動状態のままであり、その他の場合は非活動状態である、第２の電力モードとを有し、
前記残りのステーションは、前記制御ステーションの前記許可指示のみに応じて前記残りのステーションを第２の電力モードにするように構成される制御部を含み、
前記制御ステーションは、前記残りのステーションが第１の電力モードにあるか第２の電力モードにあるかに応じて、前記残りのステーションへの通信を管理するための制御部を含むことを特徴とする、無線ネットワーク。
【請求項２】
前記残りのステーションの制御部は、前記残りのステーションが第２の電力モードに入るための要求を送信するように構成され、前記制御ステーションから送信された前記要求の受理を前記残りのステーションが受信したことに応じて、前記残りのステーションを第２の電力モードにするように構成されることを特徴とする、請求項１に記載の無線ネットワーク。
【請求項３】
前記制御ステーションの制御部は、前記残りのステーションのいずれかが前記第２の電力モードであるかどうかを判定し、前記残りのステーションのいずれかが前記第２の電力モードである場合、同報通信メッセージをバッファし、再送される同報通信メッセージを受信するために活動状態に入ることを前記第２の電力モードである残りのステーションに要求した後で、前記同報通信メッセージを再送するように構成されることを特徴とする、請求項１に記載の無線ネットワーク。
【請求項４】
前記残りのステーションの制御部は、第２の電力モードから第１の電力モードへの変更の要求を前記制御ステーションに送信し、そして前記要求に対する肯定応答通知を受信することにより、前記残りのステーションに対して前記変更を行わせるように構成されることを特徴とする、請求項１に記載の無線ネットワーク。
【請求項５】
複数のステーションを含む無線ネットワークを運転する方法であって、
前記複数のステーションのうち、１つのステーションは制御ステーションであり、
前記複数のステーションのうち、残りのステーションは、活動状態と、前記残りのステーションがメッセージを送受信することのない非活動状態とをそれぞれ有し、
前記残りのステーションはさらに、完全に活動状態である第１の電力モードと、所定時にのみ活動状態に入る第２の電力モードであって、指定された条件下では活動状態のままであり、その他の場合は非活動状態である第２の電力モードとを有し、
前記方法は、
前記制御ステーションに、第２の電力モードに入るための許可を前記残りのステーションへ送信させることと、
前記制御ステーションからの前記許可の受信に応じて、前記残りのステーションを前記第２の電力モードにすることと、
前記残りのステーションが第１の電力モードであるか第２の電力モードであるかに応じて、前記残りのステーションに対する前記制御ステーションの通信を管理させること
を含むことを特徴とする、無線ネットワークを運転する方法。
【請求項６】
受信側ステーションに対して送信許可信号を発する制御ステーションを有する無線ネットワーク、で用いる受信側ステーションであって、
前記受信側ステーションは、活動状態と、メッセージを送受信できない非活動状態とを有し、
前記受信側ステーションは、完全に活動状態である第１の電力モードと、所定のタイミングにのみ活動状態に入る第２の電力モードであって、指定された条件下では活動状態のままであり、その他の場合は非活動状態である、第２の電力モードとをさらに有し、
前記許可信号を受信する受信器と、前記制御ステーションから前記許可信号を受信したときにのみ前記受信側ステーションを第２の電力モードにする制御部と
を含むことを特徴とする、受信側ステーション。
【請求項７】
複数のステーションを含み、
前記複数のステーションのうち、１つのステーションは制御ステーションであり、
前記複数のステーションの残りのステーションは、活動状態と、非活動状態とを有し、前記非活動状態の間はメッセージを送受信しないように構成され、
前記残りのステーションはさらに、完全に活動状態である第１の電力モードと、所定のタイミングにのみ活動状態に入る第２の電力モードであって、指定された条件下では活動状態のままであり、その他の場合は非活動状態である、第２の電力モードとを有し、
前記残りのステーションは、前記制御ステーションに許可要求を行った後にのみ、前記残りのステーションを第２の電力モードから第１の電力モードにするように構成される制御部を含み、
前記制御ステーションは、前記残りのステーションが第１の電力モードにあるか第２の電力モードにあるかに応じて、前記残りのステーションへの通信を管理する制御部を含むことを特徴とする、無線ネットワーク。
【請求項８】
前記残りのステーションの前記制御部は、前記残りのステーションが前記制御ステーションから前記許可要求の肯定応答通知を受信すると、前記残りの各ステーションが第１の電力モードに入るように構成されることを特徴とする、請求項７に記載の無線ネットワーク。
【請求項９】
前記残りのステーションの前記制御部は、前記残りの各ステーションが前記制御ステーションに前記許可要求を所定回数送信すると、前記残りの各ステーションが第１の電力モードに入ることを許可するように構成されることを特徴とする、請求項７に記載の無線ネットワーク。
【請求項１０】
前記残りのステーションの前記制御部は、前記残りのステーションが第１の電力モードに入ると、他の残りのステーションに、前記残りのステーションが第１の電力モードにあることを示す同報通信メッセージを前記無線ネットワーク上の他のステーションへ送信させるように構成されることを特徴とする、請求項７に記載の無線ネットワーク。
【請求項１１】
複数のステーションを有する無線ネットワークを運転する方法であって、
前記複数のステーションの１つのステーションは制御ステーションであり、
前記複数のステーションの残りのステーションは、活動状態と、前記残りのステーションがメッセージを送受信することのない非活動状態とを有し、
前記残りのステーションはさらに、完全に活動状態である第１の電力モードと、所定時にのみ活動状態に入ることができる第２の電力モードであって、指定された条件下では活動状態のままであり、その他の場合は非活動状態である第２の電力モードとを有し、
前記方法は、
第１の電力モードに入る許可を前記制御ステーションに要求するように、第２の電力モードにある前記残りのステーションを起動することと、
第２の電力モードに入ることが許可されると、前記残りのステーションを第２の電力モードにすることと、
前記残りのステーションが第１の電力モードにあるか第２の電力モードにあるかに応じて、前記制御ステーションに前記残りのステーションへの通信を管理させることと
を含むことを特徴とする、無線ネットワークを運転する方法。
【請求項１２】
前記残りのステーションが許可を要求した時から、前記残りのステーションが第２の電力モードに入る時まで、前記制御ステーションに、許可要求の肯定応答通知を前記残りのステーションへ供給させることをさらに含むことを特徴とする、請求項１１に記載の無線ネットワークを運転する方法。
【請求項１３】
複数のステーションを含み、
該複数のステーションの１つのステーションは制御ステーションであり、
前記複数のステーションの残りのステーションは、活動状態と、メッセージを送受信しない非活動状態を有し、
前記残りのステーションはさらに、完全に活動状態である第１の電力モードと、所定時にのみ活動状態に入る第２の電力モードとをさらに有し、
前記制御ステーションは、情報を通信するための一連のビーコン信号を第２の電力モードにある前記残りのステーションに供給するように構成され、
前記残りのステーションは、第２の電力モードにある場合、前記制御ステーションが前記ビーコン中のあるものを送信している間のみ活動状態に入り、前記制御ステーションが前記ビーコン中の他のものを送信している間は活動状態に入らないように構成されることを特徴とする、無線ネットワーク。
【請求項１４】
第２の電力モードにある前記残りのステーションは、ｎ個のビーコン信号ごとに１つのビーコン信号を受信するように活動状態に入るよう構成され、前記ｎは２以上の正の整数であることを特徴とする、請求項１３に記載の無線ネットワーク。
【請求項１５】
複数のステーションを有する無線ネットワークを運転する方法であって、
前記複数のステーションの１つのステーションは制御ステーションであり、
前記複数のステーションの残りのステーションは、活動状態と、非活動状態とを有し、
前記非活動状態の間、前記残りのステーションはメッセージを送受信できないように構成され、
前記残りのステーションは完全に活動状態である第１の電力モードと、所定時にのみ活動状態に入る第２の電力モードとをさらに有し、
前記方法は、
前記制御ステーションに、情報を通信するための一連のビーコン信号を第２の電力モードにある前記残りのステーションへ供給させることと、
前記ビーコン信号中のあるもののみを受信するように、第２の電力モードにある前記残りのステーションを活動状態にすることと、
第２の電力モードにある前記残りのステーションが、前記ビーコンが前記制御ステーションにより送信されるたびに毎回活動状態に入ることを防止することと
を含むことを特徴とする、無線ネットワークを運転する方法。
【請求項１６】
ｎ個のビーコン信号ごとに１つのビーコン信号を受信するように、第２の電力モードにある前記残りのステーションを活動状態にすることであって、前記ｎは２以上の正の整数である、活動状態にすることをさらに含むことを特徴とする、請求項１５に記載の無線ネットワークを運転する方法。
【手続補正２】
【補正対象書類名】明細書
【補正対象項目名】０００８
【補正方法】変更
【補正の内容】
【０００８】
この第一の実施形態において、電力節約（ＰＳ）モード状態にあるステーション（Ｂ）に、単一キャスト・メッセージのデータを送信したいステーション（Ａ）が、制御ステーションの制御ポイント（ Control point,ＣＰ）に電力管理サービス要求メッセージを送信する。ＣＰは、一定間隔で制御ポイント・ビーコン（ Control point beacon,ＣＰＢ）を送信するが、この中には電力節約モード状態にあるステーション（Ｂ）のための起動コマンドが含まれている。ステーション（Ｂ）は、定期的に起動しＣＰＢを受信する。このＣＰＢがステーション（Ｂ）のための起動フラグを含む場合、ステーション（Ｂ）が、その起動フラグの識別を含む電力管理状態メッセージを同報通信し、ステーション（Ｂ）が起動していることを示す。ステーション（Ａ）が電力管理状態メッセージを受信した際、ステーション（Ｂ）へのデータ送信を開始することができる。ＰＳステーション（電力節約ステーション）は、特定時間、すなわち電力管理タイムアウト期間に単一キャスト・データ・メッセージを受信または送信しなかった際に、また、受信した最後のＣＰＢがその起動フラグセットを有しなかった際に待機に戻る。
【手続補正３】
【補正対象書類名】明細書
【補正対象項目名】００１４
【補正方法】変更
【補正の内容】
【００１４】
この電力管理方式では、時間は、一連の固定長期間または一連のフレームに分割される。本記述では、この期間を休止期間と呼ぶ。
【手続補正４】
【補正対象書類名】明細書
【補正対象項目名】００３０
【補正方法】変更
【補正の内容】
【００３０】
制御ポイントは、ＣＰＢ中で電力管理サービス要求メッセージに応答する。ステーションが、電力管理サービス要求メッセージを送信し、次のＣＰＢ中に肯定応答通知を受信しない場合、このステーションは、所定の回数まで、またはＣＰＢ中の肯定応答通知を受信するまで、電力管理サービス要求を繰り返さなければならない。
【手続補正５】
【補正対象書類名】明細書
【補正対象項目名】００３４
【補正方法】変更
【補正の内容】
【００３４】
[電力管理状態メッセージ]
このメッセージは、ＰＳステーションの現在の電力管理状態をネットワーク上の他のステーションに通知するために、このＰＳステーションによって同報通信される。
【手続補正６】
【補正対象書類名】明細書
【補正対象項目名】００４５
【補正方法】変更
【補正の内容】
【００４５】
[制御ポイントからの電力管理サポート終了]
電力節約モードにあるＰＳステーションは、活動状態と完全電源遮断のどちらかに切り換えることができる。いずれの場合でも、ＰＳステーションが電力管理サービスをもはや要求しないことをＣＰに通知するために、ＣＰに電力管理サービス終了メッセージを送信する。電力管理サービス終了メッセージは、所定の回数、またはこのメッセージの肯定応答通知とステーションへの電力管理サービスの終了のＣＰＢを受けるまで、繰り返されなければならない。この時点で、ＰＳステーションは、ＰＳステーションが、電力節約をもはや使用していないことを他のステーションに通知するために、電力節約モード・フラグをクリアにした電力管理状態メッセージを同報通信する。
【手続補正７】
【補正対象書類名】明細書
【補正対象項目名】００４６
【補正方法】変更
【補正の内容】
【００４６】
[低電力運転]
ＰＳステーションは、次の状況下で、低電力モード（待機モード）に入る。
・このステーションが、電力管理タイムアウト時間より長い期間中に、他のステーションから単一キャスト・データ・メッセージを送信、または受信しなかった場合。
・起動した後、このステーションの起動フラグがセットされていなく、同報通信フラグがクリアであるＣＰＢを受信した場合。
【手続補正８】
【補正対象書類名】明細書
【補正対象項目名】００４７
【補正方法】変更
【補正の内容】
【００４７】
[単一キャスト・データ・メッセージの受信]
ＰＳステーションは、ＣＰＢを受信するために定期的に起動し、ＣＰＢを受信するまで起動したままでいる。ＰＳステーションは、ＣＰＢすべてを受信するために起動する必要はなく、電力を保存するために起動し、ｎ個のビーコン信号ごとに１個のビーコン信号のみを受信することを選ぶこともできる。電力節約モードのステーションに関連するＣＰＢの起動フラグは、ＣＰＢ送信がｍにセットされたままになる。
【手続補正９】
【補正対象書類名】明細書
【補正対象項目名】００５１
【補正方法】変更
【補正の内容】
【００５１】
[電力節約ステーションへの単一キャスト・データ・メッセージ送信]
ＰＳステーションに送信する単一キャスト・データ・メッセージを有するステーションは、ＰＳステーションに最後にメッセージを送信した時間およびＰＳステーションから最後にメッセージを受信した時間を判定するために、最初にステーション自体の内部テーブルをチェックする。送信または受信した時間からの経過時間が電力管理タイムアウト時間より短い場合、ステーションはこのＰＳステーションが起動状態であると仮定することができ、単一キャスト・データ・メッセージを送信することができる。経過時間が電力管理タイムアウト時間より長い場合、ステーションはこの目標ステーションが起動状態になることを要求する、電力管理サービス要求をＣＰに送信しなければならない、すなわち、１つのＰＳステーションのための単一キャスト・メッセージが送信側によってバッファされる。
【手続補正１０】
【補正対象書類名】明細書
【補正対象項目名】００５５
【補正方法】変更
【補正の内容】
【００５５】
図２に、単一キャスト・データを送信するための前述のプロトコルを要約してある。このプロトコルは、ＣＰＢを受信するために、定期的に起動していることを必要とするだけなので、ＰＳステーションが電力消費を減らすことができるという利点を有する。ステーションが起動した後、このステーションは、すべてのステーションに当ステーションが起動していることを通知する電力管理状態メッセージを同報通信する。次いで、このステーションは、制御ポイントによるデータ・メッセージのバッファ、送信を必要としないで、無線媒体によって構成される少ない資源を有効利用して、１基または複数基のステーションと直接データを交換することができる。
【手続補正１１】
【補正対象書類名】明細書
【補正対象項目名】００５９
【補正方法】変更
【補正の内容】
【００５９】
[制御ポイント運転]
複数のＰＳステーションがネットワーク中に存在するとき、同報通信期間中に、ＣＰは、自体が生ずるメッセージを含めて、すべての同報通信メッセージを捕捉し、バッファし、再送信する。
【手続補正１２】
【補正対象書類名】明細書
【補正対象項目名】００６０
【補正方法】変更
【補正の内容】
【００６０】
ＣＰＢは、次の同報通信期間までの休止期間の数を定義する同報通信カウントダウン・カウンタを含む。この同報通信カウントダウン・カウンタは、ＣＰＢ送信前にカウントダウンされる。１のカウントダウン値は、次の休止期間が同報通信期間の開始であることを示す。同報通信期間中に送信される第１ビーコン信号を送信する前に、ＣＰは次の同報通信期間の開始を識別するために、同報通信カウントダウン・カウンタをセット、または再セットする。
【手続補正１３】
【補正対象書類名】明細書
【補正対象項目名】００６６
【補正方法】変更
【補正の内容】
【００６６】
ＰＳステーションが、同報通信フラグがセットされているＣＰＢを受信すると、ＰＳステーションは、同報通信メッセージを受信するために、起動したままでいなければならない。ＰＳステーションは、同報通信フラグがセットされていないＣＰＢを受信するまで、起動したままでいなければならない。
【手続補正１４】
【補正対象書類名】明細書
【補正対象項目名】００６９
【補正方法】変更
【補正の内容】
【００６９】
図４に、同報通信メッセージを受信するための前述のプロトコルを要約している（Bcast cntr＝同報通信カウントダウン・カウンタ）。ＰＳステーションは、同報通信期間中のみ起動していればよいので、これは電力の節約を可能にする。この同報通信期間は、この制御ポイントがそのバッファされたメッセージを送信するのに必要な時間より長い。したがって、この期間中、いずれのステーションも同報通信メッセージを送信することができ、この制御ポイントがこのメッセージをバッファして再送信する必要はなく、無線媒体の使用が改善される。